(57)【要約】【課題】副扉を有する主扉を備える冷蔵庫であって、冷却効率に影響を与えることなく副扉の回動角を規制する冷蔵庫を提供すること。【解決手段】前面が開口する貯蔵室を形成する断熱箱体１５０と、貯蔵室の開口を開閉自在に塞ぐ第一主扉１１１とを備える冷蔵庫１００であって、第一主扉１１１は、開口部１１３と、回動することで開口部１１３を開閉自在に塞ぐ第一副扉１１２と、第一副扉１１２を回動自在に支持する軸部材１４０と、第一副扉１１２の、軸部材１４０の軸方向の側面である副扉側面と、副扉側面に対向する、開口部１１３の内側面である開口内側面との間を横切るように設けられた係止部材１４１と、第一副扉１１２が開けられた場合、係止部材１４１に当接することで第一副扉１１２の回動角を所定の角度に規制する固定フレーム１８０とを有する。【選択図】図５
2010203695.tif 000002
【特許請求の範囲】
【請求項１】
前面が開口する貯蔵室を形成する断熱箱体と、前記貯蔵室の開口を開閉自在に塞ぐ主扉とを備える冷蔵庫であって、
前記主扉は、
前記主扉の前面に設けられた開口部と、
回動することで前記開口部を開閉自在に塞ぐ副扉と、
前記副扉を回動自在に支持する軸部材と、
前記副扉の、前記軸部材の軸方向の側面である副扉側面と、前記副扉側面に対向する、前記開口部の内側面である開口内側面との間を横切るように設けられた係止部材と、
前記副扉が開けられた場合、前記係止部材に当接することで前記副扉の回動角を所定の角度に規制する規制部材とを有する
冷蔵庫。
【請求項２】
前記係止部材は、前記副扉側面から突出状に設けられ、前記副扉の回動に伴って回動し、
前記規制部材は、前記開口内側面に設けられている
請求項１記載の冷蔵庫。
【請求項３】
前記係止部材は、前記開口内側面から突出状に設けられ、
前記規制部材は、前記副扉側面に設けられ、前記副扉の回動に伴って回動する
請求項１記載の冷蔵庫。
【請求項４】
前記主扉はさらに、前記係止部材および前記軸部材を保持することで、前記係止部材の前記軸部材に対する姿勢の変化を抑制する補強部材を有する
請求項１〜３のいずれか１項に記載の冷蔵庫。
【請求項５】
前記主扉はさらに、前記副扉の回動速度を抑制するダンパ装置を有する
請求項１〜４のいずれか１項に記載の冷蔵庫。
【請求項６】
前記主扉はさらに、前記軸方向に移動可能である前記軸部材および前記係止部材を、前記開口内側面に向かって、または、前記副扉に向かって付勢する弾性部材を有し、
前記軸部材および前記係止部材は、前記弾性部材による付勢力に抗して移動されることで、前記副扉または前記開口内側面から抜き出される
請求項１〜５のいずれか１項に記載の冷蔵庫。
【発明の詳細な説明】
【技術分野】
【０００１】
本発明は、冷蔵庫に関し、特に、貯蔵室を開閉自在に塞ぐ扉の構造に関する。
【背景技術】
【０００２】
従来、冷蔵室等の貯蔵室を開閉自在に塞ぐ扉（以下、「主扉」という。）に、食品等の出し入れを容易にするための開口部が設けられた冷蔵庫が存在する。
【０００３】
このような冷蔵庫では、当該開口部を開閉自在に塞ぐ扉（以下、「副扉」という。）が主扉に備えられている。冷蔵庫の使用者は、副扉を開けることで、当該主扉の後方に収納されている食品等を取り出すことができる。また、当該主扉の後方に食品等を収納することができる。
【０００４】
つまり、このような冷蔵庫では、使用者は、主扉を開けることなく、副扉を開けることで食品等の出し入れが可能である。
【０００５】
また、副扉は、例えば下端部に左右に伸びる回動軸を有し、回動軸を中心に手前に倒されるようにして開けられる。
【０００６】
副扉がこのように開けられた場合、副扉は、内側の面（閉じた状態で貯蔵室側の面）がほぼ水平になるように維持されることが望ましい。
【０００７】
これは、副扉の内側の面が、例えば貯蔵室から取り出した食品を一時的に置く台として使用されるためである。
【０００８】
そこで、例えば、副扉の左右に、副扉の回動角を規制するためのアームを備える冷蔵庫も存在する。
【０００９】
また、このようなアームを備えることなく、副扉および開口部の構造を工夫することで副扉が開けられた場合の回動角を規制する冷蔵庫も存在する（例えば、特許文献１参照）。
【００１０】
図１４は、副扉の回動角を規制するための従来の構造の一例を示す断面図である。
【００１１】
図１４に示すように、主扉３１２は副扉３３０を有する。副扉３３０は、回動軸を形成する軸部材３３４を中心に回動する。
【００１２】
また、副扉３３０の下端には第一ストッパ３４５が設けられ、主扉３１２の開口部の下部には第二ストッパ３５５が設けられている。
【００１３】
副扉３３０が開けられると、第一ストッパ３４５が第二ストッパ３５５に当接する。これにより副扉３３０の回動角はおよそ９０度に規制される。
【００１４】
このように、副扉３３０の回動軸と垂直な方向に第一ストッパ３４５を設け、主扉３１２の開口部の下部に、第一ストッパ３４５と当接するように第二ストッパ３５５とを設ける。これにより、副扉３３０の左右の領域を使用することなく、副扉３３０が開けられた場合の回動角を規制することができる。
【特許文献１】特開２００３−２０７２６３号公報
【発明の開示】
【発明が解決しようとする課題】
【００１５】
しかしながら、上記従来の冷蔵庫の場合、第一ストッパ３４５を含む副扉３３０の回動軌跡は、第一ストッパ３４５がない場合よりも大きくなる。そのため、副扉３３０の回動軸の後方に、第一ストッパ３４５の回動のための空間３６０が必ず必要である。
【００１６】
空間３６０は、副扉３３０が閉じられた場合、空気の流通がほとんどないため空気が淀み易く、結果として結露が発生し易い状態になる。
【００１７】
この場合、例えば、空間３６０の近傍に放熱管等の発熱体を配置することで結露を防止することも考えられる。しかし、空間３６０は、貯蔵室に近い位置にあるため、当該貯蔵室の冷却効率の観点から発熱体の配置は現実的ではない。
【００１８】
本発明は、上記従来の課題を考慮し、副扉を有する主扉を備える冷蔵庫であって、冷却効率に影響を与えることなく副扉の回動角を規制する冷蔵庫を提供することを目的とする。
【課題を解決するための手段】
【００１９】
上記従来の課題を解決するために、本発明の冷蔵庫は、前面が開口する貯蔵室を形成する断熱箱体と、前記貯蔵室の開口を開閉自在に塞ぐ主扉とを備える冷蔵庫であって、前記主扉は、前記主扉の前面に設けられた開口部と、回動することで前記開口部を開閉自在に塞ぐ副扉と、前記副扉を回動自在に支持する軸部材と、前記副扉の、前記軸部材の軸方向の側面である副扉側面と、前記副扉側面に対向する、前記開口部の内側面である開口内側面との間を横切るように設けられた係止部材と、前記副扉が開けられた場合、前記係止部材に当接することで前記副扉の回動角を所定の角度に規制する規制部材とを有する。
【００２０】
この構成により、副扉の回動角を規制する係止部材は、互いに隣接する、副扉の側面と開口部の内側面との間を横切るように設けられる。つまり、係止部材は、例えば軸部材の軸方向と平行に設けられる。これにより、従来の冷蔵庫のように係止部材により副扉の回動軌跡が大きくなることはない。
【００２１】
結果として、回動軸の後方に、係止部材の回動のための空間を設ける必要がない。つまり、本発明の冷蔵庫では、結露が発生し易い空間を副扉の周辺に設ける必要がなく、かつ、副扉の回動角を確実に規制することができる。
【００２２】
また、前記係止部材は、前記副扉側面から突出状に設けられ、前記副扉の回動に伴って回動し、前記規制部材は、前記開口内側面に設けられているとしてもよい。
【００２３】
また、前記係止部材は、前記開口内側面から突出状に設けられ、前記規制部材は、前記副扉側面に設けられ、前記副扉の回動に伴って回動するとしてもよい。
【００２４】
このように、係止部材および規制部材のいずれか一方が、副扉に配置され、他方が、開口内側面に配置されていればよい。つまり、係止部材および規制部材の配置位置は、係止部材と規制部材とが当接することで、副扉の回動角が規制できる位置であればよい。
【００２５】
また、前記主扉はさらに、前記係止部材および前記軸部材を保持することで、前記係止部材の前記軸部材に対する姿勢の変化を抑制する補強部材を有するとしてもよい。
【００２６】
この構成により、係止部材と軸部材との相対的な位置関係が変わってしまうことが防止され、副扉の開閉動作の安定性が確保される。
【００２７】
また、前記主扉はさらに、前記副扉の回動速度を抑制するダンパ装置を有するとしてもよい。
【００２８】
この構成により、副扉が急激に開くこと、および、副扉が開けられた際に過大な力が係止部材および軸部材に与えられることが防止され、副扉の開閉時の安全性および開閉構造の長寿命化が図られる。
【００２９】
また、前記主扉はさらに、前記軸方向に移動可能である前記軸部材および前記係止部材を、前記開口内側面に向かって、または、前記副扉に向かって付勢する弾性部材を有し、前記軸部材および前記係止部材は、前記弾性部材による付勢力に抗して移動されることで、前記副扉または前記開口内側面から抜き出されるとしてもよい。
【００３０】
この構成により、副扉の冷蔵庫からの取り外し、および、副扉の冷蔵庫への取り付けが容易になる。つまり、冷蔵庫の使用者からすると副扉および主扉の開口部付近の清掃が容易になる。
【発明の効果】
【００３１】
本発明は、副扉を有する主扉を備える冷蔵庫であって、冷却効率に影響を与えることなく副扉の回動角を規制する冷蔵庫を提供することができる。
【発明を実施するための最良の形態】
【００３２】
以下、本願発明に係る冷蔵庫の実施の形態について、図面を参照しながら説明する。
【００３３】
まず、図１〜図３を用いて、本発明の実施の形態における冷蔵庫１００の基本的な構成を説明する。
【００３４】
図１は、本発明の実施の形態における冷蔵庫１００の外観を示す斜視図である。
【００３５】
図２は、第一副扉１１２と第二副扉１２２とが開けられた冷蔵庫１００の外観を示す斜視図である。
【００３６】
図３は、第一主扉１１１と第二主扉１２１とが開けられた冷蔵庫１００の外観を示す斜視図である。
【００３７】
本実施の形態の冷蔵庫１００は、内方に貯蔵する貯蔵品を冷蔵、または、冷凍して保管する装置である。また、冷蔵庫１００は、幅方向の中間部を壁で区切り、左右で異なる種類の貯蔵室が設けられる冷蔵庫である。このような冷蔵庫は、例えばサイドバイサイド（Ｓｉｄｅ−Ｂｙ−Ｓｉｄｅ：ＳＢＳ）型冷蔵庫と呼ばれる。
【００３８】
冷蔵庫１００は、これらの図が示すように、断熱箱体１５０と、第一主扉１１１と、第二主扉１２１とを備えている。
【００３９】
また、第一主扉１１１は、前面に設けられた開口部１１３と、開口部１１３を開閉自在に塞ぐ第一副扉１１２とを有している。第二主扉１２１は、前面に設けられた受け取り口１２３と、受け取り口１２３を開閉自在に塞ぐ第二副扉１２２を有している。
【００４０】
第一主扉１１１は、断熱箱体１５０に向かって右側に配置された冷蔵室の開口を開閉自在に塞ぐ扉である。本実施の形態の場合、第一主扉１１１は、断熱箱体１５０の右側の壁の前方に上下方向に延びる回動軸を中心として回動するように、ヒンジ（図示せず）によって断熱箱体１５０に取り付けられている。また、第一主扉１１１は、上下方向に長い長方形であり、冷蔵庫１００の上部から下部にわたって配置され、第一主扉１１１の右端縁部に前記回動軸が通っている。
【００４１】
第二主扉１２１は、断熱箱体１５０に向かって左側に配置された冷凍室の開口を開閉自在に塞ぐ扉である。本実施の形態の場合、第二主扉１２１は、断熱箱体１５０の左側の壁の前方に上下方向に延びる回動軸を中心として回動するように、ヒンジ（図示せず）によって断熱箱体１５０に取り付けられている。また、第二主扉１２１は、上下方向に長い長方形であり、冷蔵庫１００の上部から下部にわたって配置され、第二主扉１２１の左端縁部に前記回動軸が通っている。
【００４２】
開口部１１３は、第一主扉１１１を厚さ方向に貫通する孔を形成する部分である。冷蔵庫１００の使用者は、開口部１１３を介して第一主扉１１１の後方に貯蔵されている貯蔵物を取り出し、また、第一主扉１１１の後方に貯蔵物を収納することができる。
【００４３】
第一副扉１１２は、開口部１１３を開閉自在に塞ぐ扉である。本実施の形態の場合、第一副扉１１２は、開口部１１３の下端縁に左右方向に延びる回動軸を中心として回動するように、軸部材によって第一主扉１１１に取り付けられている。また、第一副扉１１２の下端縁部に前記回動軸が通っている。軸部材については、図５等を用いて後述する。
【００４４】
第二副扉１２２は、冷蔵庫１００の内方から供給される氷などを受け取る受け取り口１２３を開閉自在に塞ぐ扉である。
【００４５】
また、断熱箱体１５０の上部には、冷蔵庫１００の動作を制御する制御基板が収納されており、その収納空間を塞ぐ基板カバー１５８が取り付けられている。
【００４６】
断熱箱体１５０の内方の空間は、区画壁１５３により左右に区画され、これにより右側の冷蔵室と左側の冷凍室とが形成されている。
【００４７】
冷蔵室および冷凍室のそれぞれには、食品等を収納する収納容器１６２および食品等を置く棚板１６３が複数取り付けられている。
【００４８】
次に、図４〜図９を用いて、冷蔵庫１００における第一副扉１１２の開閉のための機械的な構造（以下、「開閉構造」という。）について説明する。
【００４９】
なお、第一副扉１１２の開閉構造と第二副扉１２２の開閉構造とは基本的には同じである。そのため、以下、第一副扉１１２を中心に説明し、第二副扉１２２についての説明は省略する。
【００５０】
図４は、第一副扉１１２が開けられた状態を示す部分的な斜視図である。
【００５１】
図４に示すように、第一副扉１１２は内面（図４における上面）がほぼ水平になるまで回動し、その角度で維持される。
【００５２】
また、開口部１１３の上部に、プッシュラッチ（ｐｕｓｈ  ｌａｔｃｈ）１３０が設けられている。第一副扉１１２の内面の上部に設けられた突起とプッシュラッチ１３０とが係合することで、第一副扉１１２は閉状態に維持される。また、第一副扉１１２の上部が押し込まれることで、当該突起とプッシュラッチ１３０との係合が解除され、第一副扉１１２が開けられる。
【００５３】
また、プッシュラッチ１３０の横に副扉スイッチ１３１が設けられている。副扉スイッチ１３１が押し込まれた状態であるか否かにより、第一副扉１１２が閉じられているか否かが検出される。この検出を行う副扉検出部については、図１２（Ａ）を用いて後述する。
【００５４】
図５は、実施の形態の冷蔵庫１００における軸部材１４０周辺の構造を示す斜視図である。
【００５５】
なお、図５では、第一副扉１１２および第一主扉１１１の一部を切り欠いて、軸部材１４０周辺の構造を示している。
【００５６】
図５に示すように、第一副扉１１２の構成要素である回動フレーム１７０と、第一主扉１１１に固定された固定フレーム１８０とが、軸部材１４０で連結されている。
【００５７】
なお、本実施の形態において、回動フレーム１７０および固定フレーム１８０はともに金属製である。また、軸部材１４０は、固定フレーム１８０に対し回動しないよう固定されている。
【００５８】
軸部材１４０は、ジョイント部材１３６を介して、第一副扉１１２の回動速度を抑制するダンパ装置１３５と接続されている。また、ダンパ装置１３５の本体部分は第一副扉１１２に固定されている。
【００５９】
つまり、第一副扉１１２が開けられた場合、ダンパ装置１３５と軸部材１４０とは相対的に回動し、ダンパ装置１３５により、第一副扉１１２の回動速度を抑制する方向の力が第一副扉１１２に与えられる。
【００６０】
また、第一主扉１１１は、係止部材１４１を有している。係止部材１４１は、第一副扉１１２の、軸部材１４０の軸方向の側面である副扉側面と、当該副扉側面に対向する、開口部１１３の内側面である開口内側面との間を横切るように設けられている。
【００６１】
本実施の形態においては、係止部材１４１は、図５に示すように第一副扉１１２の側面から突出状に設けられており、第一副扉１１２の回動に伴って回動する。
【００６２】
この係止部材１４１の、第一副扉１１２とは反対側の端部は、固定フレーム１８０が有する規制溝１８１に挿入されている。
【００６３】
第一副扉１１２が開けられた場合、第一副扉１１２に取り付けられた係止部材１４１は、規制溝１８１の手前側の終端縁に至るまで回動し、当該終端縁に当接することで、移動が規制される。
【００６４】
つまり、第一副扉１１２の回動角は、固定フレーム１８０によって所定の角度（本実施の形態の場合、約９０度）に規制される。なお、固定フレーム１８０は、本発明の冷蔵庫における規制部材の一例である。
【００６５】
また、軸部材１４０と係止部材１４１とは、金属製のブロックである補強部材１９０に保持されている。
【００６６】
図６は、軸部材１４０と係止部材１４１とを保持する補強部材１９０が回動する様子を示す図である。
【００６７】
なお、図６では、補強部材１９０を明確に表すために、回動フレーム１７０および固定フレーム１８０等の図示は省略されている。
【００６８】
本実施の形態では、補強部材１９０に、軸部材１４０を保持する孔と、係止部材１４１を保持する孔とが設けられている。軸部材１４０および係止部材１４１は、それぞれの孔に挿入されることにより、補強部材１９０に保持されている。これにより、係止部材１４１の軸部材１４０に対する姿勢の変化が抑制される。
【００６９】
具体的には、係止部材１４１は金属製の棒体であり、図６に示すように、係止部材１４１は軸部材１４０とほぼ平行に補強部材１９０に保持されている。
【００７０】
この状態で第一副扉１１２が開けられ、係止部材１４１が規制溝１８１の終端縁に当接した場合、係止部材１４１が軸部材１４０に対して傾くような力が係止部材１４１および軸部材１４０に働く。つまり、係止部材１４１と軸部材１４０とがねじれるような力が係止部材１４１および軸部材１４０に働く。
【００７１】
しかしながら、軸部材１４０および係止部材１４１はともに補強部材１９０に保持されている。そのため、このようなねじれの発生が防止され、第一副扉１１２の開閉動作の安定性が確保される。
【００７２】
なお、軸部材１４０および係止部材１４１の両方または一方が、補強部材１９０と一体に成型されていてもよい。つまり、補強部材１９０は、軸部材１４０および係止部材１４１の両方または一方を着脱不可能に保持してもよい。
【００７３】
また、補強部材１９０と軸部材１４０とが一体成型された場合、軸部材１４０は、第一副扉１１２に対して回動不可能となる。この場合、軸部材１４０が第一主扉１１１に対して回動するように、軸部材１４０を固定フレーム１８０に保持させればよい。
【００７４】
具体的には、固定フレーム１８０に、軸部材１４０を回動自在に支持する孔を設け、当該孔の外側（固定フレーム１８０を挟んで第一副扉１１２とは反対側）に、ダンパ装置１３５を配置し、軸部材１４０の先端部とダンパ装置１３５とを連結すればよい。
【００７５】
また、図５では、第一副扉１１２の右端部の開閉構造を図示しているが、第一副扉１１２の左側も同様に軸部材等が配置されている。
【００７６】
図７は、第一副扉１１２の開閉構造を表す斜視図である。
【００７７】
図８は、第一副扉１１２の開閉構造を表す右側面図である。
【００７８】
なお、これらの図では、第一副扉１１２の開閉構造を明確に示すために、第一副扉１１２の開閉動作に関連する部材のみを図示し、第一副扉１１２および第一主扉１１１の表面を形成する板等は省略している。
【００７９】
図７に示す、第一副扉１１２の左端部に配置された回動フレーム１７２は、軸部材１４２によって、左側の固定フレーム１８２と連結されている。
【００８０】
また、回動フレーム１７２には係止部材１４３が取り付けられており、その左側の端部は、固定フレーム１８２の規制溝１８３に挿入されている。
【００８１】
また、係止部材１４３および軸部材１４２はともに、金属ブロックである補強部材１９１に保持されている。
【００８２】
このように、第一副扉１１２の左端部も、右端部と同様の構造を有している。
【００８３】
これにより、図７および図８に示すように、回動フレーム１７０および１７２の回動角は約９０度に規制される。つまり、第一副扉１１２の回動角は約９０度に規制される。
【００８４】
なお、係止部材１４３および軸部材１４２には、図７に示すように、移動部材１４４を介して弾性部材１３７により付勢されている。弾性部材１３７は本実施の形態においては押しばねである。
【００８５】
つまり、軸部材１４２および係止部材１４３は、軸部材１４２の軸方向に移動可能であり、かつ、開口内側面に向かって付勢されている。
【００８６】
これにより、通常は、係止部材１４３の左端部は開口内側面に存在する規制溝１８３に挿入されており、かつ、軸部材１４２の左端部は固定フレーム１８２の孔に挿入されている。
【００８７】
この状態で、例えば、移動部材１４４が使用者により右側に押されることにより、係止部材１４３および軸部材１４２の左端部は開口内側面から抜き出される。これにより、第一副扉１１２は第一主扉１１１から取り外し可能であり、かつ、第一主扉１１１に取り付け可能である。
【００８８】
なお、弾性部材１３７が、軸部材１４２および係止部材１４３を第一副扉１１２に向かって付勢するように、弾性部材１３７を開口内側面より左側に配置してもよい。この場合、付勢力に抗して係止部材１４３および軸部材１４２を左側に移動させることで、係止部材１４３および軸部材１４２の右端部を第一副扉１１２から抜き出すことができる。つまり、第一副扉１１２を第一主扉１１１に対して着脱自在にすることができる。
【００８９】
以上説明したように、第一副扉１１２は開閉自在かつ着脱自在に第一主扉１１１に取り付けられている。また、第一副扉１１２が開けられた場合の回動角は規制される。
【００９０】
本実施の形態においては、図８に示すように、回動フレーム１７０に取り付けられた係止部材１４１が、固定フレーム１８０の規制溝１８１の終端縁と当接することで、第一副扉１１２の回動角が約９０度に規制される。
【００９１】
また、このとき、図７に示すように、第一副扉１１２の左側では、係止部材１４３が、固定フレーム１８２の規制溝１８３の終端縁と当接する。これによっても、第一副扉１１２の回動角は約９０度に規制される。
【００９２】
つまり、本実施の形態の冷蔵庫１００では、第一副扉１１２の軸方向と同じ方向に伸びる係止部材１４１（１４３）と、固定フレーム１８０（１８２）に設けられた規制溝１８１（１８３）とにより、第一副扉１１２の回動角を規制する。
【００９３】
つまり、第一副扉１１２の回動角を規制するための部材（本実施の形態では係止部材１４１）は、回動軸に垂直な平面上の、第一副扉１１２の回動軌跡に影響を与えない。
【００９４】
これにより、従来の冷蔵庫では存在した、副扉の回動軸の後方の、副扉の回動のために設けられた、通常は空気の流通がほとんどない空間（例えば、図１４における空間３６０）をゼロまたは極めて小さくすることができる。
【００９５】
図９は、実施の形態における第一副扉１１２の開状態および閉状態を示す断面図である。
【００９６】
図９に示すように、軸部材１４０の後方に、第一副扉１１２を回動可能とする空間を設ける必要ない。つまり、図１４における空間３６０のような、空気が淀む空間を設ける必要はない。
【００９７】
そのため、開口部１１３の下部での結露は防止され、かつ、当該防止のための発熱体を設ける必要はない。また、第一副扉１１２が開けられた場合の回動角を確実に規制することができる。
【００９８】
つまり、本実施の形態の冷蔵庫１００は、冷却効率に影響を与えずに、第一副扉１１２が開けられた場合の回動角を、第一副扉１１２の内面がほぼ水平になる角度に規制することができる。
【００９９】
なお、本実施の形態においては、補強部材１９０は第一副扉１１２に備えられ、軸部材１４０と係止部材１４１とを保持するとした。
【０１００】
つまり、第一副扉１１２の回動に伴って係止部材１４１も回動するとした。しかしながら開口部１１３の内側面に係止部材を固定し、当該係止部材に当接する規制溝を第一副扉１１２に設けてもよい。
【０１０１】
図１０（Ａ）は、係止部材および規制溝の配置位置の他の一例を示す図である。
【０１０２】
図１０（Ａ）に示すように、軸部材１４０を保持し、かつ、規制溝１９３ａを有する補強部材１９３を、第一副扉１１２の回動フレーム１７０に配置する。
【０１０３】
また、固定フレーム１８０を挟んで第一副扉１１２とは反対側に、軸部材１４０を回動しないように保持する軸穴１９４ａと、係止部材１９４ｂとを有する補強部材１９４を配置する。
【０１０４】
この場合、第一副扉１１２の回動に伴って、規制溝１９３ａが回動する。また、規制溝１９３ａの後方の終端縁が、第一主扉１１１に固定された係止部材１９４ｂに当接する。これにより、第一副扉１１２の回動角は規制される。
【０１０５】
また、係止部材を第一主扉１１１に固定し、規制溝を第一副扉１１２に設け、かつ、軸部材１４０を第一副扉１１２に対して回動しないように設置してもよい。
【０１０６】
図１０（Ｂ）は、係止部材および軸部材の配置位置の他の一例を示す図である。
【０１０７】
図１０（Ｂ）に示すように、軸部材１４０を回動しないように保持する軸穴１９５ａと、規制溝１９５ｂとを有する補強部材１９５を、第一副扉１１２の回動フレーム１７０に配置する。
【０１０８】
また、固定フレーム１８０を挟んで第一副扉１１２とは反対側に、係止部材１９６ｂと、軸部材１９６ａを回動可能に保持する孔とを有する補強部材１９６を配置する。
【０１０９】
さらに、補強部材１９４の背後に、ダンパ装置１３５を配置し、軸部材１９６ａの後端と連結する。
【０１１０】
この場合、第一副扉１１２の回動に伴って、規制溝１９５ｂが回動し、規制溝１９５ｂの後方の終端縁が、第一主扉１１１に固定された係止部材１９６ｂに当接する。これにより、第一副扉１１２の回動角は規制される。
【０１１１】
また、第一副扉１１２の回動に伴って、補強部材１９６に回動可能に保持された軸部材１９６ａは回動する。ダンパ装置１３５は、軸部材１９６ａが回動すると回動速度を抑制する方向の力を軸部材１９６ａに与える。その結果、第一副扉１１２の回動速度は抑制される。
【０１１２】
なお、補強部材１９５は、規制溝１９５ｂと、軸部材１４０を回動しないように保持する軸穴１９５ａとを有している。そのため、図７等に示すように、第一副扉１１２とともに係止部材１４１が回動する場合、補強部材１９５を、例えば、固定フレーム１８０の規制溝１８１と軸部材１４０を保持する孔とを補強する部材として使用することもできる。つまり、補強部材１９５を、規制部材を補強する補強部材として使用することもできる。
【０１１３】
また、本実施の形態では、軸部材１４０と係止部材１４１とが別体であったが、これらが有する機能を一つの部材で実現してもよい。
【０１１４】
図１１は、軸部材と係止部材とを兼用する部材の一例を示す図である。
【０１１５】
図１１に示すように、第一副扉１１２の回動フレーム１７０に、軸部材１９７ａを有する補強部材１９７を配置する。軸部材１９７ａは、図１１に示すように、周の一部が切り欠かれている。これにより、軸方向に垂直な方向の係止面１９７ｂが形成されている。
【０１１６】
また、固定フレーム１８０を挟んで第一副扉１１２とは反対側に、軸部材１９７ａを回動可能に保持し、かつ、所定の回動角で回動を規制する軸穴１９８ａを有する補強部材１９８を配置する。
【０１１７】
この場合、第一副扉１１２の回動に伴って、軸部材１９７ａが回動する。また、係止面１９７ｂが、軸穴１９８ａの内面の一部である当接面１９８ｂに当接する。これにより、第一副扉１１２の回動角は規制される。
【０１１８】
なお、図１１には図示していないが、補強部材１９８の背後にダンパ装置１３５を配置し、軸部材１９７ａの先端部と連結する。これにより、第一副扉１１２が開かれた場合の回動速度は抑制される。
【０１１９】
以上、図１０（Ａ）〜図１１を用いて説明したように、第一副扉１１２の第一主扉１１１に対する回動のための仕組み、および回動を規制するための仕組みは、図５〜図９で示した仕組み以外であってもよい。
【０１２０】
また、係止部材１４１、１４３、１９４ｂおよび１９６ｂの形状はすべて棒状であるが、係止部材の形状は棒状でなくてもよい。係止部材は、第一副扉１１２の回動軸の方向の両側面（本実施の形態では左右の側面）のうち少なくとも一方の側面と、当該側面に対向する開口内側面との間を横切るように設けられていればよく、その形状は特定のものに限定されない。
【０１２１】
また、本発明の冷蔵庫における規制部材の一例である、固定フレーム１８０は、具体的には規制溝１８１の終端縁を係止部材１４１に当接させることで、係止部材１４１の移動を規制している。これにより、第一副扉１１２の回動角を規制している。
【０１２２】
しかし、係止部材１４１の移動を規制することができれば、その形状は「溝」でなくてもよい。例えば、円形または矩形の穴であってもよい。また、単純に、係止部材１４１の移動を遮る壁を固定フレーム１８０に設け、これにより、係止部材１４１の移動を規制してもよい。
【０１２３】
要するに、第一主扉１１１には、第一副扉１１２の側面と、当該側面に対向する、開口部１１３の内側面である開口内側面との間を横切るように設けられた係止部材、および、当該係止部材に当接することで第一副扉１１２の回動角を所定の角度に規制する規制部材が備えられていればよい。
【０１２４】
これにより、第一副扉１１２の回動軸の後方に、係止部材の回動のための空間を設けることなく、第一副扉１１２の回動角を規制することができる。
【０１２５】
なお、上述のように、第一主扉１１１には、副扉スイッチ１３１が設けられており、副扉検出部は、副扉スイッチ１３１の状態により、副扉検出部は、第一副扉１１２が閉じられているか否かを検出することができる。
【０１２６】
また、第一副扉１１２が閉じられているか否か、および第一主扉１１１が閉じられているか否かにより、庫内に設置された照明ユニットのＯＮおよびＯＦＦが制御される。
【０１２７】
図１２（Ａ）は、実施の形態の冷蔵庫１００における、照明ユニット２４０の制御系統を示すブロック図である。
【０１２８】
図１２（Ｂ）は、図１２（Ａ）に示される各要素の、冷蔵庫１００における配置位置の例を示す概要図である。
【０１２９】
図１２（Ａ）に示すように、冷蔵庫１００は、制御部２００と、主扉検出部２１０と、副扉検出部２２０と、警告部２３０と、照明ユニット２４０とを備える。
【０１３０】
例えば、第一副扉１１２が開けられた場合、押し込まれていた副扉スイッチ１３１（図４参照）が突出した状態になる。副扉検出部２２０は、これにより、第一副扉１１２が閉じられていないこと、または、第一副扉１１２が開けられたことを検出する。
【０１３１】
制御部２００は、この検出結果を得ると、照明ユニット２４０をＯＦＦからＯＮにする。これにより、第一副扉１１２を開けた場合、冷蔵室内が照明ユニット２４０により照らされ、使用者による冷蔵室内の食品の取り出し、および冷蔵室内への食品の収納が容易になる。
【０１３２】
なお、第一主扉１１１が開けられた場合、主扉検出部２１０により、第一主扉１１１が閉じられていないこと、または、第一主扉１１１が開けられたことが検出される。また、この検出結果を得た制御部２００は、照明ユニット２４０をＯＦＦからＯＮにする。
【０１３３】
ここで、第一主扉１１１と第一副扉１１２とがともに開けられた状態で第一主扉１１１が開閉される場合を想定する。この場合、第一副扉１１２の回動軌跡が大きくなるため、例えば、第一副扉１１２が、冷蔵庫１００の周囲の物に接触することも考えられる。従って、安全性の観点から問題があるといえる。
【０１３４】
そこで、本実施の形態の冷蔵庫１００は、第一主扉１１１と第一副扉１１２とがともに開けられた状態、言い換えると、第一主扉１１１と第一副扉１１２とがともに閉められていない状態を検出すると、警告を報知する。
【０１３５】
図１３は、実施の形態の冷蔵庫１００が行う警告報知に係る処理の流れを示すフロー図である。
【０１３６】
制御部２００は、主扉検出部２１０および副扉検出部２２０それぞれの検出結果から、第一主扉１１１が開けられた状態、または閉められていない状態であり、かつ、第一副扉１１２が開けられた状態、または閉められていない状態であると判断すると（Ｓ１００でＹｅｓ）、警告部２３０に警告報知の指示を行う。
【０１３７】
警告部２３０は、制御部２００から警告報知の指示を受けると、例えば、第一主扉１１１および第一副扉１１２の両方が開けられている旨、または、第一主扉１１１を閉じるよう指示する内容を音声出力する（Ｓ１１０）。
【０１３８】
また、警告部２３０は、第一主扉１１１および第二主扉１２１との間に設けられた表示パネルを使用し、当該音声出力とともに、または、当該音声出力に代えて、文字、光の点滅等で、当該音声出力と同様の内容を意味する表示を行う。
【０１３９】
これにより、第一副扉１１２を開けた状態で、第一主扉１１１が大きく開かれることが防止され、冷蔵庫１００の安全性が向上する。
【０１４０】
なお、図１２（Ａ）〜図１３を用いて、第一主扉１１１および第一副扉１１２の開閉と、照明ユニット２４０および警告部２３０の動作の関係を説明した。しかし、冷凍室側も同様の動作制御がなされる。つまり、第二主扉１２１および第二副扉１２２のいずれか一方が開けられると、冷凍室内の照明ユニットがＯＮになる。また、第二主扉１２１および第二副扉１２２の両方が開けられた状態、または、両方が閉められていない状態が検出されると、警告が報知される。
【０１４１】
以上、本発明の実施の形態について説明したが、本発明における技術的特徴は、副扉を有する主扉を備える冷蔵庫においてその効果が発揮される。
【０１４２】
したがって、実施の形態の冷蔵庫１００のようなＳＢＳ型の冷蔵庫だけでなく、副扉を有する主扉を備える様々な種類の冷蔵庫に本発明は適用可能である。
【産業上の利用可能性】
【０１４３】
本発明は、副扉を有する主扉を備える冷蔵庫であって、冷却効率に影響を与えることなく副扉の回動角を規制する冷蔵庫を提供することができる。従って、本発明は、家庭用および業務用など様々な種類および大きさの冷蔵庫等として有用である。
【図面の簡単な説明】
【０１４４】
【図１】本発明の実施の形態における冷蔵庫の外観を示す斜視図である。
【図２】第一副扉と第二副扉とが開けられた冷蔵庫の外観を示す斜視図である。
【図３】第一主扉と第二主扉とが開けられた冷蔵庫の外観を示す斜視図である。
【図４】第一副扉が開けられた状態を示す部分的な斜視図である。
【図５】実施の形態の冷蔵庫における軸部材周辺の構造を示す斜視図である。
【図６】軸部材と係止部材とを保持する補強部材が回動する様子を示す図である。
【図７】第一副扉の開閉構造を表す斜視図である。
【図８】第一副扉の開閉構造を表す右側面図である。
【図９】実施の形態における第一副扉の開状態および閉状態を示す断面図である。
【図１０】（Ａ）は、係止部材および規制溝の配置位置の他の一例を示す図であり、（Ｂ）は、係止部材および軸部材の配置位置の他の一例を示す図である。
【図１１】軸部材と係止部材とを兼用する部材の一例を示す図である。
【図１２】（Ａ）は、実施の形態の冷蔵庫における、照明ユニットの制御系統を示すブロック図であり、（Ｂ）は、（Ａ）に示される各要素の、冷蔵庫における配置位置の例を示す概要図である。
【図１３】実施の形態の冷蔵庫が行う警告報知に係る処理の流れを示すフロー図である。
【図１４】副扉の回動角を規制するための従来の構造の一例を示す断面図である。
【符号の説明】
【０１４５】
１００    冷蔵庫
１１１    第一主扉
１１２    第一副扉
１１３    開口部
１２１    第二主扉
１２２    第二副扉
１２３    受け取り口
１３０    プッシュラッチ
１３１    副扉スイッチ
１３５    ダンパ装置
１３６    ジョイント部材
１３７    弾性部材
１４０、１４２、１９６ａ、１９７ａ    軸部材
１４１、１４３、１９４ｂ、１９６ｂ    係止部材
１４４    移動部材
１５０    断熱箱体
１５３    区画壁
１５８    基板カバー
１６２    収納容器
１６３    棚板
１７０、１７２    回動フレーム
１８０、１８２    固定フレーム
１８１、１８３、１９３ａ、１９５ｂ    規制溝
１９０、１９１、１９３、１９４、１９５、１９６、１９７、１９８    補強部材
１９４ａ、１９５ａ、１９８ａ  軸穴
１９７ｂ  係止面
１９８ｂ  当接面
２００    制御部
２１０    主扉検出部
２２０    副扉検出部
２３０    警告部
２４０    照明ユニット
【図１】
2010203695.tif 000003
【図２】
2010203695.tif 000004
【図３】
2010203695.tif 000005
【図４】
2010203695.tif 000006
【図５】
2010203695.tif 000007
【図６】
2010203695.tif 000008
【図７】
2010203695.tif 000009
【図８】
2010203695.tif 000010
【図９】
2010203695.tif 000011
【図１０】
2010203695.tif 000012
【図１１】
2010203695.tif 000013
【図１２】
2010203695.tif 000014
【図１３】
2010203695.tif 000015
【図１４】
2010203695.tif 000016